(57)【要約】      （修正有）【課題】顔面における下側の美容シートマスクが使用時に顔から剥落しにくく、不快感なく使用できる美容シートマスクを提供する。【解決手段】眉より下側全体を覆う顔面用の美容シートマスク２０であって、鼻部を覆う鼻頭部１、及び／又は目尻からこめかみ部分を覆うこめかみ部２Ａ、２Ｂを有する。顔面における下側の美容シートマスク２０が使用時に顔から剥落しにくく、また不快感なく使用できる。【選択図】図１
0003231025.tif 000002
【実用新案登録請求の範囲】
【請求項１】
眉より下側全体を覆う顔面用の美容シートマスクであって、
鼻部を覆う鼻頭部、及び／又は目尻からこめかみ部分を覆うこめかみ部を有することを特徴とする、美容シートマスク。
【請求項２】
顔面の正中線に沿って所定の幅で圧着し、立体型としたことを特徴とする、請求項１に記載の美容シートマスク。
【請求項３】
周縁から中心方向に向け、左右対称に少なくとも２本の切目線を有することを特徴とする、請求項１又は２に記載の美容シートマスク。
【請求項４】
２５℃における粘度が５ｍＰａ・ｓ以上である化粧料組成物を含浸させてなることを特徴とする、請求項１〜３のいずれか一項に記載の美容シートマスク。
【考案の詳細な説明】
【技術分野】
【０００１】
本考案は、顔面用の美容シートマスクに関する。
【背景技術】
【０００２】
従来より、保湿作用や抗酸化作用、鎮静化作用等を有するさまざまな有効成分を含浸させた顔面用の美容シートマスクが提案されてきた。また、その形状もさまざま提案されている。
例えば、特許文献１では、両目のための孔を有した両目の周りを覆うことができる第１シートと、口のための孔を有した口の周りと鼻翼の周りの頬も覆うことができる第２シートを含む顔用の美容シートマスクが開示されている。
【先行技術文献】
【特許文献】
【０００３】
【特許文献１】特開２０１６−９３３２４号公報
【考案の概要】
【考案が解決しようとする課題】
【０００４】
しかしながら、従来の美容シートマスクでは、顔面における下側の美容シートマスクが顔から剥落しやすいという問題がある。
【０００５】
従って、本考案は、顔面における下側の美容シートマスクが使用時に顔から剥落しにくく、不快感なく使用できる美容シートマスクを提供することを課題とする。
【課題を解決するための手段】
【０００６】
本考案者は、鋭意検討の結果、顔面における下側の美容シートマスクが使用時に顔から剥落しやすくなることの原因は、美容シートマスクが肌に充分に保持されていないことに起因するという結論に至った。このため、眉より下側全体を覆う顔面用の美容シートマスクにおいて、肌に支持される部分を有することで、美容シートマスク使用時に顔から剥落しにくく、また不快感なく使用できることを見出し、本考案を完成させた。
【０００７】
すなわち、本考案は、以下の顔面用の美容シートマスクを提供するものである。
［１］眉より下側全体を覆う顔面用の美容シートマスクであって、
鼻部を覆う鼻頭部、及び／又は目尻からこめかみ部分を覆うこめかみ部を有することを特徴とする、美容シートマスク。
［２］顔面の正中線に沿って所定の幅で圧着し、立体型としたことを特徴とする、［１］に記載の美容シートマスク。
［３］周縁から中心方向に向け、左右対称に少なくとも２本の切目線を有することを特徴とする、［１］又は［２］に記載の美容シートマスク。
［４］２５℃における粘度が５ｍＰａ・ｓ以上である化粧料組成物を含浸させてなることを特徴とする、［１］〜［３］のいずれか一項に記載の美容シートマスク。
【考案の効果】
【０００８】
本考案によれば、顔面における下側の美容シートマスクが使用時に顔から剥落しにくく、また不快感なく使用できる美容シートマスクを提供することができる。
【図面の簡単な説明】
【０００９】
【図１】本考案の美容シートマスクの一実施形態の正面図である。
【図２】本考案の美容シートマスクの一実施形態の左側面図である。
【図３】本考案の美容シートマスクの別の実施形態として、突出部を設けたときの正面図である。
【図４】本考案の美容シートマスクの別の実施形態として、瞼部対向部及び頚部対向部を設けたときの左側面図である。
【図５】本考案の美容シートマスクの別の実施形態として、立体化したときの使用時の状態を示す概略説明図である。
【考案を実施するための形態】
【００１０】
本考案は、顔面における下側の美容シートマスクが使用時に顔から剥落しにくく、また不快感なく使用できる美容シートマスクに関するものである。
さらに、本考案の美容シートマスクは顔面への密着性にも優れていることから、美容シートマスクに含浸させた美容液の肌への浸透性においても効果的である。
【００１１】
以下、本考案に係る美容シートマスクの実施形態について、詳細に説明する。
なお、本実施形態に記載する美容シートマスクは、本考案を説明するために例示したに過ぎず、これに限定されるものではない。
【００１２】
図１は、本考案の美容シートマスクの一実施形態の正面図である。また、図２は、本考案の美容シートマスクの一実施形態の左側面図である。
本実施形態に係る美容シートマスク２０は、図１及び図２に示すように、鼻頭部１、第一のこめかみ部２Ａ、第二のこめかみ部２Ｂ、鼻孔部に対向する孔３、口部に対向する孔４、第一の切目線５Ａ、第二の切目線５Ｂ、第一の頬対向部６Ａ、第二の頬対向部６Ｂ、を備える。
【００１３】
本実施形態に係る美容シートマスク２０の各構成は、使用者の顔面における各部位に対向するものである。以下、美容シートマスク２０の各構成と、対応する顔面の各部位の組み合わせについて説明する。
鼻頭部１は、鼻翼、鼻尖、鼻梁、鼻根、を含む鼻全体に対向する。第一のこめかみ部２Ａは、顔面の右目尻から右こめかみに対向する。第二のこめかみ部２Ｂは、顔面の左目尻から左こめかみに対向する。鼻孔部に対向する孔３は、左右の鼻孔に対向する孔である。口部に対向する孔４は、口唇に対向する孔である。第一の切目線５Ａは、周縁から顔面の右鼻翼横の頬に向けて設けた切目線である。第二の切目線５Ｂは、周縁から顔面の左鼻翼横の頬に向けて設けた切目線である。第一の頬対向部６Ａは、顔面の右頬に対向する。第二の頬対向部６Ｂは、顔面の左頬に対向する。
【００１４】
鼻頭部１は、図１及び図２に示すように、鼻全体（鼻突から鼻根）を覆うことができるものであればよいが、これに限定されない。
図３は、本考案における美容シートマスクの別態様を示す正面図である。
図３に示すように、本考案における美容シートマスク２０は、鼻頭部１において、鼻根から眉間方向に突出させた突出部７を設けてもよい。突出部７を設けることで、美容シートマスク２０が肌により支持されるため、美容シートマスク２０が剥落することを効果的に防ぐことができる。
また、後述する第一のこめかみ部２Ａ及び第二のこめかみ部２Ｂを有することも美容シートマスクの剥落防止に効果的である。したがって、本考案は剥落防止の観点から、突出部７と第一及び第二のこめかみ部２Ａ、２Ｂを有することが好ましい。
【００１５】
第一及び第二のこめかみ部２Ａ、２Ｂは、シワやシミが気になりやすい部分を覆うことができ、本考案の美容シートマスクに含浸させた美容液（特に、シミやシワに有効な化粧料組成物等）をこれらの部分によりなじませることができる。また、上述したように、美容シートマスクの剥落防止の観点からも、本考案の美容シートマスクにおいては、第一及び第二のこめかみ部２Ａ、２Ｂを有することが好ましい。
【００１６】
さらに、鼻孔部に対向する孔３及び口部に対向する孔４を設けることで、鼻や口での呼吸を妨げないようにする。また、美容シートマスク使用時においても会話をすることを可能とする。
【００１７】
また、図１及び図２に示すように、本考案の美容シートマスク２０は、第一の切目線５Ａや第二の切目線５Ｂのように、美容シートマスクの周縁から中心方向に向け、左右対称に少なくとも２本の切目線を有することが好ましい。これにより、美容シートマスク２０を顔の凹凸に合わせやすくなる。
なお、切目線の数及び形状は特に限定されない。顔の凹凸に合わせ、肌への密着性をよくするには、例えば、切目線５Ａ、５Ｂのように、２本以上の切目線を有することがより好ましい。また、このとき、切目線を頬対向部（第一の頬対向部６Ａ及び第二の頬対向部６Ｂ）内に複数設けるものとしてもよい。これにより、頬対向部６Ａ、６Ｂの形状を顔の凹凸に合わせやすくすることができ、美容シートマスク２０の剥落を防止することが可能となる。
【００１８】
また、本考案における美容シートマスク２０の構造は、眉より下側を覆う構造であればよく、図１〜図３に示すものに限定されない。
図４は、本考案の美容シートマスクの別の実施形態に係る左側面図である。
図４に示すように、本考案の美容シートマスク２０は、例えば、両目瞼に対向する瞼部対向部８を設けてもよい。これにより、瞼にも美容液を浸透させることができる。
また、図４に示すように、本考案における美容シートマスク２０は、首部分に対向する頚部対向部９を設けてもよい。これにより、首部分にも美容液を浸透させることができる。
【００１９】
また、本考案における美容シートマスク２０は、図１〜図４に示すように、平面型のシートからなるものとしてもよいが、これに限定されない。
図５は、本考案の美容シートマスクの別の実施形態として、立体化したときの使用時の状態を示す概略説明図である。
図５に示した実施形態に係る美容シートマスク２０は、顔面の正中線に沿って所定の幅で圧着した圧着部１０を備える立体型美容シートマスクである。
圧着部１０を設けることで、本考案の美容シートマスク２０が立体型となり、美容シートマスク２０の凹凸と顔の凹凸とを重なり合わせるように装着することで、より肌に密着して剥落しにくくなる。
【００２０】
本考案の美容シートマスク２０の材質は、特に限定されないが、シート状に成形可能なものであればよく、装着者の顔面の凹凸に合わせて形状が容易に変形するものが好ましい。このような材質としては、例えば、紙、織布、不織布のほか、コットン、キュプラ、パルプ、レーヨン、ポリエステル、ポリウレタンなどの樹脂からなるシートやフィルムなどが挙げられる。ここで、不織布とは、織らない布状のものをいい、繊維を一定方向又はランダムに集積して接着樹脂で化学的に結合させたり、機械的に絡ませたり、圧力をかけた水流で絡ませたり、熱融着繊維で結合させたもの等をいう。
【００２１】
また、本考案の美容シートマスクを、立体型美容シートマスクとしたときの好ましい材質としては、特に限定されないが、例えばポリプロピレン（以下ＰＰと示す。）、ポリエチレン（以下ＰＥと示す。）、ポリエチレンテレフタレート（以下ＰＥＴと示す。）を原料とした不織布が挙げられる。また、更に好ましくは融点の異なるこれらの材質から適宜組み合わせた２種以上（ＰＰとＰＥ、ＰＥＴとＰＥ等）を、コットンやキュプラ等と組み合わせた美容シートマスクとすることである。顔面の正中線に沿って所定の幅で熱等により圧着させた圧着部を設けたい場合に、融点の異なる原料を用いた不織布とすることでより熱圧着させやすくなり、また、更にコットンやキュプラ等と組み合わせることで、美容シートマスクの保水性をより高めることができ、これにより含浸させたい化粧料組成物等が美容シートマスクにより保持されやすくなる。
【００２２】
本考案の美容シートマスク２０には、美容液として、種々の化粧料組成物を含浸させてもよい。美容液として用いる化粧料組成物等については、特に限定されないが、機能性添加物及び一般的な化粧料組成物に含まれる成分を用いることが挙げられる。
【００２３】
機能性添加物としては、例えば、水溶性ビタミン、油溶性ビタミン、高分子ペプチド、高分子多糖、スフィンゴ脂質及び海草エキスより選択された１種又は２種以上の成分を含んでもよい。
【００２４】
また、上記機能性添加物とともに、必要に応じて更に一般的な化粧料組成物に含まれる成分を配合してもよい。更に含まれる配合成分としては、例えば、油脂成分、保湿剤、エモリエント剤、界面活性剤、有機及び無機顔料、有機粉体、紫外線吸収剤、防腐剤、殺菌剤、酸化防止剤、植物抽出物、ｐＨ調整剤、アルコール、色素、香料、血行促進剤、冷感剤、制汗剤、精製水より選択された１種又は２種以上の成分を含んでもよい。
【００２５】
美容液として用いる化粧料組成物等を本考案の美容シートマスクに含浸させる際の粘度は、特に制限されないが、例えば５ｍＰａ・ｓ以上６５００以下である。下限値としては、より好ましくは１０ｍＰａ・ｓ以上であり、更に好ましくは７０ｍＰａ・ｓ以上、特に好ましくは５００ｍＰａ・ｓ以上である。これにより、本考案の美容シートマスクの肌への密着性をより高めることができることから、肌に化粧料組成物等をよりなじませることができる。また、本考案の美容シートマスクが肌から剥落するのを防ぐことに対し、より一層の効果を発揮する。
また、上限値としては、より好ましくは６４００ｍＰａ・ｓ以下、更に好ましくは６２００ｍＰａ・ｓ以下、特に好ましくは６０００ｍＰａ・ｓ以下である。これにより、化粧料組成物等を美容シートマスクに含浸させることができる。
【産業上の利用可能性】
【００２６】
本考案の顔面用の美容シートマスクは、顔面における下側の美容シートマスクが使用時に顔から剥落しにくく不快感なく使用できる美容シートマスクとして利用することができる。例えば、美容液として化粧料組成物等を含浸させた美容シートマスクや、顔面の上下で分かれたセパレートタイプ型シートマスクの下側部分の美容シートマスクとして、更には髪染めの際に使用する染料付着防止用の顔面カバー等、さまざまな分野において好適に利用することができる。
【符号の説明】
【００２７】
１      鼻頭部
２Ａ    第一のこめかみ部
２Ｂ    第二のこめかみ部
３      鼻孔部に対向する孔
４      口部に対向する孔
５Ａ    第一の切目線
５Ｂ    第二の切目線
６Ａ    第一の頬対向部
６Ｂ    第二の頬対向部
７      突出部
８      瞼部対向部
９      頚部対向部
１０    圧着部
２０    美容シートマスク
【図１】
0003231025.tif 000003
【図２】
0003231025.tif 000004
【図３】
0003231025.tif 000005
【図４】
0003231025.tif 000006
【図５】
0003231025.tif 000007